(57)【要約】【課題】撮影者にとって適切な機能モードを自動的に設定できる撮像装置を提供する。【解決手段】撮像装置は、撮影者が所持するＩＣタグに記憶される情報を無線電波により検出するＩＣタグリーダを備えている。この撮像装置の起動時に、ＩＣタグから初心者信号が検出される場合には、フルオートの撮影を行う初心者モードで起動する。一方、ＩＣタグから上級者信号が検出される場合には、色の微調整、スイッチの位置変更など撮影者によって以前に入力されたカスタマイズ情報を撮像装置の設定に反映する上級者モードで起動する。また、ＩＣタグから手振れ常時補正信号が検出される場合には、手振れ補正が撮影時に常時オンされる手振れ常時補正モードで起動する。以上により、撮影者にとって適切な機能モードを自動的に設定できることとなる。【選択図】図２
2006253887.tif 000002
【特許請求の範囲】
【請求項１】
複数の機能モードが設けられる撮像装置であって、
(a)撮影者が所持する情報発信装置から前記機能モードに関する設定要求信号を検出する検出手段と、
(b)前記検出手段で検出された設定要求信号によって設定要求される機能モードを、前記複数の機能モードから抽出して設定するモード設定手段と、
を備え、
前記情報発信装置は、無線による情報発信が可能であることを特徴とする撮像装置。
【請求項２】
請求項１に記載の撮像装置において、
前記情報発信装置は、ＩＣタグを有しており、
前記検出手段は、
(a-1)前記ＩＣタグから前記設定要求信号を検出するＩＣタグリーダ、
を有することを特徴とする撮像装置。
【請求項３】
請求項１または請求項２に記載の撮像装置において、
前記複数の機能モードは、撮影の際には少なくともオートフォーカス、自動露出およびオートホワイトバランスを強制的に行う自動モードを含んでおり、
前記モード設定手段は、
(b-1)前記検出手段で前記自動モードに関する設定要求信号が検出される場合には、前記自動モードに設定する自動モード設定手段、
を有することを特徴とする撮像装置。
【請求項４】
請求項３に記載の撮像装置において、
(c)表示手段、
をさらに備え、
前記自動モードでは、前記撮像装置の操作に関するガイダンスが前記表示手段に表示されることを特徴とする撮像装置。
【請求項５】
請求項１ないし請求項４のいずれかに記載の撮像装置において、
(d)前記撮影者による手振れを検出して手振れ補正を行う手振れ補正手段、
をさらに備え、
前記複数の機能モードは、撮影の際には前記手振れ補正を強制的に実行する手振れ強制補正モードを含んでおり、
前記モード設定手段は、
(b-2)前記検出手段で前記手振れ強制補正モードに関する設定要求信号が検出される場合には、前記手振れ強制補正モードに設定する手段、
を有することを特徴とする撮像装置。
【請求項６】
請求項１ないし請求項５のいずれかに記載の撮像装置において、
(e)前記撮影者によって入力されたカスタマイズ情報を保持する情報保持手段、
をさらに備え、
前記複数の機能モードは、前記カスタマイズ情報に基づき前記撮像装置の設定を行うカスタマイズモードを含んでおり、
前記モード設定手段は、
(b-3)前記検出手段で前記カスタマイズモードに関する設定要求信号が検出される場合には、前記カスタマイズモードに設定する手段、
を有することを特徴とする撮像装置。
【発明の詳細な説明】
【技術分野】
【０００１】
本発明は、複数の機能モードが設けられる撮像装置に関する。
【背景技術】
【０００２】
ＩＣタグと呼ばれるデバイスが開発され、高い注目を集めている。このＩＣタグは、ＩＣ(集積回路)チップに情報を記憶し、無線電波で読み出しを行えるタグ(情報発信装置)として構成されており、様々な利用方法が提案されている。
【０００３】
この利用方法としては、例えば個人の識別にＩＣタグを利用する技術が特許文献１に開示されている。この技術によれば、カメラ使用者固有の情報を格納するＩＣタグ（ＩＣカード）を用いて使用者の認証を行い、認証された使用者に関係する情報を撮影画像データに関連付けて記録することが可能となっている。
【０００４】
【特許文献１】特開２００１−１４２７７号公報
【発明の開示】
【発明が解決しようとする課題】
【０００５】
しかしながら、特許文献１の技術では、撮影者が所持するＩＣタグはカメラ使用者の認証に利用されるものの、撮影者にとって最適な機能モードの設定に利用されるわけではない。適切な機能モードが自動的に設定されれば、撮影者にとって都合が良いこととなるが、これに関して具体的に説明する。
【０００６】
全くの初心者は、カメラにフルオートのモードがあることを認識しておらず、例えば再生モードに設定されてしまうと撮影できない状態に陥る可能性がある。このような初心者にとっては、フルオートモードの設定が自動的に行われると都合が良い。
【０００７】
また、子供が撮影する際には、手振れによる撮影画像の劣化が懸念されるが、例えば誤った使い方により手振れ補正がオフに設定されてしまうと、高品質な画像の取得が困難となる。このような子供にとっては、常に手振れ補正をオンにするモードの設定が自動的に行われるのが好ましい。
【０００８】
一方、上級者では、購入したカメラにおいて例えば色の再現性が不満であったり、頻繁に使用するボタンが操作しにくい位置に配置されている場合には、個人的に使い易いカメラにカスタマイズしたいという要望がある。このような上級者にとっては、例えば過去に入力したカスタマイズ情報をカメラの設定に反映するモードが自動的に設定されると都合が良いこととなる。
【０００９】
本発明は、上記課題に鑑みてなされたものであり、撮影者にとって適切な機能モードを自動的に設定できる撮像装置を提供することを目的とする。
【課題を解決するための手段】
【００１０】
上記の課題を解決するため、請求項１の発明は、複数の機能モードが設けられる撮像装置であって、(a)撮影者が所持する情報発信装置から前記機能モードに関する設定要求信号を検出する検出手段と、(b)前記検出手段で検出された設定要求信号によって設定要求される機能モードを、前記複数の機能モードから抽出して設定するモード設定手段とを備え、前記情報発信装置は、無線による情報発信が可能である。
【００１１】
また、請求項２の発明は、請求項１の発明に係る撮像装置において、前記情報発信装置は、ＩＣタグを有しており、前記検出手段は、(a-1)前記ＩＣタグから前記設定要求信号を検出するＩＣタグリーダを有する。
【００１２】
また、請求項３の発明は、請求項１または請求項２の発明に係る撮像装置において、前記複数の機能モードは、撮影の際には少なくともオートフォーカス、自動露出およびオートホワイトバランスを強制的に行う自動モードを含んでおり、前記モード設定手段は、(b-1)前記検出手段で前記自動モードに関する設定要求信号が検出される場合には、前記自動モードに設定する自動モード設定手段を有する。
【００１３】
また、請求項４の発明は、請求項３の発明に係る撮像装置において、(c)表示手段をさらに備え、前記自動モードでは、前記撮像装置の操作に関するガイダンスが前記表示手段に表示される。
【００１４】
また、請求項５の発明は、請求項１ないし請求項４のいずれかの発明に係る撮像装置において、(d)前記撮影者による手振れを検出して手振れ補正を行う手振れ補正手段をさらに備え、前記複数の機能モードは、撮影の際には前記手振れ補正を強制的に実行する手振れ強制補正モードを含んでおり、前記モード設定手段は、(b-2)前記検出手段で前記手振れ強制補正モードに関する設定要求信号が検出される場合には、前記手振れ強制補正モードに設定する手段を有する。
【００１５】
また、請求項６の発明は、請求項１ないし請求項５のいずれかの発明に係る撮像装置において、(e)前記撮影者によって入力されたカスタマイズ情報を保持する情報保持手段をさらに備え、前記複数の機能モードは、前記カスタマイズ情報に基づき前記撮像装置の設定を行うカスタマイズモードを含んでおり、前記モード設定手段は、(b-3)前記検出手段で前記カスタマイズモードに関する設定要求信号が検出される場合には、前記カスタマイズモードに設定する手段を有する。
【発明の効果】
【００１６】
上記の課題を解決するため、請求項１ないし請求項６の発明によれば、撮影者が所持する情報発信装置から検出された機能モードに関する設定要求信号によって設定要求される機能モードを、複数の機能モードから抽出して設定するため、撮影者にとって適切な機能モードを自動的に設定できる。
【００１７】
特に、請求項２の発明においては、ＩＣタグから設定要求信号を検出するＩＣタグリーダを有するため、設定要求信号の検出を容易に行える。
【００１８】
また、請求項３の発明においては、撮影の際には少なくともオートフォーカス、自動露出およびオートホワイトバランスを強制的に行う自動モードに関する設定要求信号が検出される場合には、自動モードに設定するため、初心者などにとって適切な機能モードの設定を自動的に行える。
【００１９】
また、請求項４の発明においては、自動モードでは撮像装置の操作に関するガイダンスが表示手段に表示されるため、初心者などでも操作手順を容易に把握できる。
【００２０】
また、請求項５の発明においては、撮影の際には手振れ補正を強制的に実行する手振れ強制補正モードに関する設定要求信号が検出される場合には、手振れ強制補正モードに設定するため、子供などにとって適切な機能モードの設定を自動的に行える。
【００２１】
また、請求項６の発明においては、撮影者によって入力されたカスタマイズ情報に基づき撮像装置の設定を行うカスタマイズモードに関する設定要求信号が検出される場合には、カスタマイズモードに設定するため、上級者などにとって適切な機能モードの設定を自動的に行える。
【発明を実施するための最良の形態】
【００２２】
＜撮像装置の要部構成＞
図１は、本発明の実施形態に係る撮像装置１の機能ブロックを示す図である。
【００２３】
撮像装置１は、デジタルカメラとして構成されており、撮像センサ１１と、撮像センサ１１に接続する信号処理部２と、信号処理部２に接続する画像処理部３と、カメラ制御部４０とを備えている。
【００２４】
撮像センサ１１は、Ｒ(赤)、Ｇ(緑)、Ｂ(青)の原色透過フィルターが市松状に配列されたエリア撮像センサとして構成されており、全画素読み出しタイプの撮像素子となっている。この撮像センサ１１では、電荷の蓄積が完了すると光電変換された信号が遮光された転送路にシフトされ、ここからバッファを介して読み出されて、レンズ群１３を含む撮像光学系により結像された被写体像に係る画像信号が出力される。また、撮像センサ１１の前には、光学ＬＰＦ１２が設けられている。
【００２５】
信号処理部２は、ＣＤＳ２１とＡＧＣ２２とＡ／Ｄ変換部２３とを有している。
【００２６】
撮像センサ１１から出力された画像信号は、ＣＤＳ２１でサンプリングされ撮像センサ１１のノイズを除去した後、ＡＧＣ２２により感度補正が行われる。
【００２７】
Ａ／Ｄ変換部２３は、例えば１０ビットＡＤ変換器として構成されており、ＡＧＣ２２で正規化されたアナログ信号をデジタル化する。デジタル化された画像信号は、画像処理部３で所定の画像処理が施された画像ファイルが生成される。
【００２８】
画像処理部３は、ＣＰＵおよびメモリを有しており、デジタル処理部３ａと画像圧縮部３５とビデオエンコーダー３８とメモリカードドライバ３９とを備えている。
【００２９】
デジタル処理部３ａは、カラーバランス評価用積算器３０と画素補間部３１と解像度変換部３２とホワイトバランス制御部３３とガンマ補正部３４とを有している。
【００３０】
画像処理部３に入力された画像データは、撮像センサ１１の読出しに同期し、例えばＳＤＲＡＭで構成される画像メモリ４１に書込みまれる。以後、この画像メモリ４１に格納される画像データにアクセスし、デジタル処理部３ａで各種の処理が行われる。
【００３１】
画像メモリ４１上の画像データは、カラーバランス評価用積算器３０によって、色毎(ＲＧＢ)に小エリア毎の画素積算データが算出される。この小エリアとは、１画面を多分割した分割エリアのことである。このような小エリア内での画素値の積算を行うことにより平均処理を施すのと同等の効果が得られる。このカラーバランス評価用積算器３０の演算結果を用いてＲＧＢ各画素のゲインデータが求められる。
【００３２】
そして、ホワイトバランス制御部３３によりＲＧＢ各画素が独立にゲイン補正されて、ＲＧＢのホワイトバランス補正が行われる。このホワイトバランス補正では、撮影被写体から本来白色と思われる部分を輝度、彩度データ等から推測しその部分のＲ、Ｇ、Ｂそれぞれの平均、Ｇ／Ｒ比、Ｇ／Ｂ比を求めて、このＧ／Ｒ比およびＧ／Ｂ比をＲ、Ｂの補正ゲインとして補正制御が行われる。
【００３３】
ホワイトバランス補正が行われた画像データは、画素補間部３１でＲＧＢ各画素をそれぞれのフィルターパターンでマスキングした後、高帯域まで画素を持つＧについてはメディアン(中間値)フィルターで周辺４画素の中間２値の平均値に置換する。Ｒ、Ｂに関しては平均補間が行われる。
【００３４】
補間された画像データにおけるＲＧＢデータは、ガンマ補正部３４で各出力機器に適合した非線形変換が行われた後、マトリクス演算によりＲＧＢからＹ、Ｒ−Ｙ、Ｂ−Ｙデータが算出されて画像メモリ４１に格納される。
【００３５】
そして、このＹ、Ｒ−Ｙ、Ｂ−Ｙデータについては、水平垂直の縮小または間引きが行われ、解像度変換部３２で記録画像の画素数に解像度変換が行われる。また、モニタ表示においても、解像度変換部３２で間引きが行われ、ＬＣＤモニタ４３、電子ビューファインダー４４で表示するための低解像度画像を作成する。
【００３６】
プレビュー(ライブビュー)時は、画像メモリ４１から読み出された６４０＊２４０画素の低解像度画像がビデオエンコーダー３８でＮＴＳＣ／ＰＡＬにエンコードされ、これをフィールド画像として電子ファインダー４４またはＬＣＤモニタ４３で画像再生を行う。また、画像記録時は、設定された記録用解像度の画像を画像圧縮部３５により例えばＪＰＥＧ方式の圧縮処理を行った後に、メモリーカードドライバー３９によりメモリーカード９に圧縮画像が記録される。
【００３７】
カメラ制御部４０は、ＣＰＵおよびメモリを備え、シャッターボタン、ズームボタン、メインスイッチなどを有する操作部４９に対して撮影者が行う操作入力を処理する。
【００３８】
撮像装置１は、本撮影前に被写体を動画的態様でＬＣＤモニタ４３などに表示するライブビュー表示時には、シャッター４５の光学絞り値が絞りドライバー４６によって開放固定となる。また、自動露出における撮像センサ１１の電荷蓄積時間に関しては、撮像センサ１１で取得した画像のうち選択された測光エリアで測光される光量データに基づき、カメラ制御部４０で露出制御データが演算される。そして、カメラ制御部４０で算出された露出制御データに基づいて予め設定されたプログラム線図により、タイミングジェネレーターセンサドライバー４７で撮像センサ１１の露光時間が適正となるようにフイードバック制御が行われる。
【００３９】
また、撮像装置１では、自動露出が行われる撮影時に、上記の測光された光量データに基づき予め設定されたプログラム線図により絞りドライバ４６とタイミングジェネレーターセンサドライバー４７で撮像センサ１１ヘの露光量が制御される。
【００４０】
撮像装置１は、手振れ量を計測する手振れセンサ(不図示)によって検出される撮影者の手振れが撮影に悪影響を及ぼさないように手振れ補正アクチュエータドライバ５０を駆動して手振れ補正が行えるように構成されている。ここで、撮像センサ１１は、例えばリニア駆動を行う２つのアクチュエータによって、レンズ群１３の光軸に直交する方向に２次元の移動が可能となっている。
【００４１】
また撮像装置１は、無線による情報発信が可能な情報発信装置として機能するＩＣタグの周辺においてＩＣタグに記憶された情報の読取りが可能なＩＣタグリーダ４８を備えている。そして、このＩＣタグリーダ４８を用いて取得されたＩＣタグの情報に基づき、撮影者にとって適切な機能モードの自動設定が可能となっている。このモード設定について詳しく説明する。
【００４２】
＜モード設定について＞
撮像装置１は、複数の機能モードが設けられており、これらの機能モードから選択的に機能モードを設定できる構成となっている。具体的には、通常の撮影モード(以下では単に「通常モード」という)の他に、初心者モード、上級者モードおよび手振れ常時補正モードが撮像装置１に設けられており、これらの中から所望のモードを選択できるようになっている。通常モード以外の各機能モードについて以下で説明する。
【００４３】
初心者モードでは、撮像装置１はシャッターボタン、ズームボタン、メインスイッチ以外の操作部材による入力を全く受け付けず、フルオートの撮影を行うとともに、ＬＣＤモニタ４３や電子ビューファインダー４４に操作手順に関するガイド表示を行う。換言すれば、初心者モードは、撮影の際には少なくともオートフォーカス、自動露出およびオートホワイトバランスを強制的に行い、撮像装置１の操作に関するガイダンスを表示させる自動モードとして機能する。この初心者モードにより、初心者でも撮像装置１による撮影を確実に行えることとなる。
【００４４】
上級者モード(カスタマイズモード)では、色の微調整、スイッチの位置変更など撮影者によって以前に入力されたカスタマイズ情報を反映した撮像装置１の設定が行える。このカスタマイズ情報は図１に示す不揮発性メモリ(情報保持手段)４２に保持されており、上級者モードが設定された場合に読み出されて撮像装置１がカスタマイズされる。この上級者モードにより、上級者にとって使い易い撮像装置１の設定を行えることとなる。
【００４５】
手振れ常時補正モードでは、手振れ補正アクチュエータドライバ５０を用いた手振れ補正が撮影時に常時オンされる。換言すれば、手振れ常時補正モードは、撮影の際には手振れ補正を強制的に実行する手振れ強制補正モードとして機能する。この手振れ常時補正モードにより、手振れが生じやすい撮影者（例えば子供）が撮像装置１を使用して撮影する場合でも、高品質な撮影画像を取得できることとなる。
【００４６】
一方、撮像装置１は、その周辺に存在する受信可能なＩＣタグを検出し、このＩＣタグに記憶される情報を読み出せるＩＣタグ４８を有している。
【００４７】
そこで、撮像装置１では、ＩＣタグリーダ４８で読み出されたＩＣタグの情報に上記の各機能モードの設定を要求する信号(以下では「設定要求信号」という)として初心者信号、上級者信号および手振れ常時補正信号が含まれている場合には、この信号に基づくモード設定を行うこととする。これにより、例えば初心者が初心者信号を記憶したＩＣタグを所持しておけば初心者モードが自動的に設定されるため、撮影者にとって適切な機能モードの設定を行えることとなる。
【００４８】
一方、ＩＣタグリーダ４８によってＩＣタグが検出されない場合、またはＩＣタグが検出されても上記の各設定要求信号が格納されていない場合には、通常モードが設定される。
【００４９】
以上のような構成を有する撮像装置１の動作について、以下で説明する。
【００５０】
＜撮像装置１の動作＞
図２は、撮像装置１の基本的な動作を示すフローチャートである。本動作は、カメラ制御部４０によって実行される。
【００５１】
操作部４９におけるメインスイッチを撮影者が操作して撮像装置１の電源がオンされると、初期化処理としてのイニシャル・ロードが実行される(ステップＳＴ１)。
【００５２】
ステップＳＴ２では、ＩＣタグリーダ４８により、撮影者が携帯しているＩＣタグが検出されたかを判定する。ここで、ＩＣタグが検出された場合には、ステップＳＴ３に進み、検出されない場合には、ステップＳＴ１１に進む。
【００５３】
ステップＳＴ３では、ＩＣタグリーダ４８により検出されたＩＣタグに記憶される情報を読み出す。
【００５４】
ステップＳＴ４では、ステップＳＴ３の情報読み出しによりＩＣタグから初心者信号が検出されたかを判定する。すなわち、撮影者が所持するＩＣタグから初心者モードに関する設定要求信号がＩＣタグリーダ４８で検出されたか否かを判断する。ここで、初心者信号が検出された場合には、ステップＳＴ５に進み、設定要求される初心者モードを上述した複数の機能モードから抽出して設定し、撮像装置１の起動を行う。一方、初心者信号が検出されない場合には、ステップＳＴ６に進む。
【００５５】
ステップＳＴ６では、ステップＳＴ３の情報読み出しによりＩＣタグから上級者信号が検出されたかを判定する。すなわち、撮影者が所持するＩＣタグから上級者モードに関する設定要求信号がＩＣタグリーダ４８で検出されたか否かを判断する。ここで、上級者信号が検出された場合には、ステップＳＴ７に進み、設定要求される上級者モードを上述した複数の機能モードから抽出して設定し、撮像装置１の起動を行う。一方、上級者信号が検出されない場合には、ステップＳＴ８に進む。
【００５６】
ステップＳＴ８では、ステップＳＴ３の情報読み出しによりＩＣタグから手振れ常時補正信号が検出されたかを判定する。すなわち、撮影者が所持するＩＣタグから手振れ常時補正モードに関する設定要求信号がＩＣタグリーダ４８で検出されたか否かを判断する。ここで、手振れ常時補正信号が検出された場合には、ステップＳＴ９に進み、設定要求される手振れ常時補正モードを上述した複数の機能モードから抽出して設定し、撮像装置１の起動を行う。一方、手振れ常時補正信号が検出されない場合には、ステップＳＴ１０に進む。
【００５７】
ステップＳＴ１０およびステップＳＴ１１では、上述した通常モードで撮像装置１の起動を行う。
【００５８】
以上の撮像装置１の動作により、撮影者が所持するＩＣタグからＩＣタグリーダで読み取った機能モードの設定要求信号をモード設定に反映させるため、撮影者にとって適切な機能モードの設定を自動的に行える。
【００５９】
＜変形例＞
◎上記の実施形態においては、ＩＣタグ情報に基づき初心者モードや上級者モード、手振れ常時補正モードの設定を行うのは必須でなく、次の各モードの設定を行うようにしても良い。
【００６０】
(１)旅行用節電モード
旅行用節電モードは、クロックの周波数が低下し、画像処理時間が延びたり、ライブビュー表示のコマ数やＡＦ速度などが落ちるモードで、すぐにＡＰＯ（オート・パワー・オフ）に移行する。この旅行用節電モードの設定要求信号がＩＣタグから検出される場合には、この機能モードに設定する。
【００６１】
(２)競技撮影モード
競技撮影モードは、電力消費を配慮せず、クロックを最高速に設定して画像処理時間を優先させるモードで、ＡＰＯへの移行が禁止される。この競技撮影モードにより、シャッターチャンスを逃さない撮影が可能となる。
【００６２】
競技撮影モードの設定要求信号がＩＣタグから検出される場合には、この機能モードに設定する。
【００６３】
(３)ポートレートや夜景、遠景、スポーツ、テキストなどの撮影モードの切替えが可能な初心者モード
上述した初心者モードでは、フルオート(全自動)に設定されるため、露出の設定も自動的に行われることとなる。
【００６４】
一方、撮像装置では、従来からポートレートや夜景、遠景、スポーツ、テキストなど、露出設定に微妙な差異がある撮影モードの切替えが可能となっている。
【００６５】
そこで、撮影者はデジタルカメラの初心者であるが、フィルムカメラ等での撮影経験があり上記の各撮影モードの機能を理解している場合には、これらから撮影モードの選択を行えるようにすると、最適な露出設定が可能となる。
【００６６】
すなわち、撮像装置１では、上述した初心者モードと上記の各撮影モードとを組み合わせた機能モード、具体的には初心者ポートレートモード、初心者夜景モード、初心者遠景モード、初心者スポーツモード、初心者テキストモードを設けて、その設定要求信号がＩＣタグから検出される場合には、設定要求される機能モードに設定する。
【００６７】
◎上記の実施形態におけるモードの設定については、ＩＣタグからの情報を反映させるのは必須でなく、撮影者が所持する非接触型ＩＣカードなどの情報発信装置からの情報を反映させるようにしても良い。
【図面の簡単な説明】
【００６８】
【図１】本発明の実施形態に係る撮像装置１の機能ブロックを示す図である。
【図２】撮像装置１の基本的な動作を示すフローチャートである。
【符号の説明】
【００６９】
１  撮像装置
２  信号処理部
３  画像処理部
１１  撮像センサ
４０  カメラ制御部
４８  ＩＣタグリーダ
４９  操作部
【図１】
2006253887.tif 000003
【図２】
2006253887.tif 000004